(57)【特許請求の範囲】
【請求項１】
先頭に頭部電極及び後方に胴部電極を有する単頭型のプラグにおいて、
前記頭部電極は、先端の頂部電極と頭部リング電極とに分割し、
前記頂部電極は、先端の頂部接点と、該頂部接点に連結した所定の外径及び長さを有する良導電性の支軸線と、で形成し、
前記頭部リング電極は、前方の頭部リング接点と、該頭部リング接点の後方に連結した前記支軸線が挿通される大きさの内径並びに所定の外径及び長さを有する良導電性の中空管からなる頭部中空管と、で形成し、
前記頭部中空管には、複数本の前記胴部電極をそれぞれの外径、内径及び長さを変えて装着し、
前記頂部接点及び前記頭部リング接点並びに前記複数本の胴部電極に設けた複数の胴部接点は、同一の外径を有し、
前記頂部電極の支軸線を前記頭部リング電極の頭部中空管に挿通して、更に前記頭部中空管に前記複数本の胴部電極を装着して、前記頂部接点及び前記頭部リング接点並びに前記支軸線、前記頭部中空管及び前記複数本の胴部電極の間に絶縁部材を介在して固定し、
前記支軸線及び前記頭部リング電極並びに前記胴部電極は、前記支軸線の長さを最も長尺にし、前記支軸線に順次装着される前記頭部リング電極及び前記胴部電極は前記頭部電極に向かって前方の電極の長さを後方の電極の長さより長尺にして、前記支軸線に前記頭部リング電極及び前記胴部電極を装着し、該支軸線、前記頭部リング電極及び前記胴部電極の階段状に露出した後方箇所をリード線の接続部としたことを特徴とするプラグ。
【請求項２】
請求項１に記載のプラグが接続されるジャックであって、前記ジャックは、複数本のコンタクト端子と、該複数本のコンタクト端子が装着されるジャックハウジングとを有し、前記ジャックハウジングには、長手方向にプラグ挿通穴を設け、前記プラグ挿通穴の周囲に前記コンタクト端子を装着し、
前記ジャックハウジングは、前記プラグ挿通穴の奥部に前記プラグの頂部電極と接触するコンタクト端子を設けたことを特徴とするジャック。
【発明の詳細な説明】
【技術分野】
【０００１】
本発明は、プラグ及びジャックに係り、詳しくはサイズを大きくすることなく電極数を増やすことができるプラグ及びジャックに関するものである。
【背景技術】
【０００２】
携帯電話機、ＭＤプレーヤやＣＤプレーヤなどの携帯機器には、多種多様な製品が開発されて市販されている。これらの機器は、概ね、イヤホンやヘッドホンが使用されて、これらのイヤホンなどは、機器との接続にプラグとジャックとからなるコネクタが使用されている。
【０００３】
近年、この種の機器は、更に多機能化されてきている。例えば、携帯電話機は、本来の通信機能の他に、他の機能、例えば音楽を聴き或いはワンセグにみられるように画像が見られるものも開発・市販されている。このような多機能化に伴い、これらの機器に使用されるプラグとジャックとからなるコネクタは、電極数を多くしたものが開発されている（例えば、下記特許文献１参照）。
【０００４】
図１０を参照して、下記特許文献１に記載されたプラグ及びジャックを説明する。なお、図１０は、下記特許文献１に記載されたプラグ及びジャックの断面図ある。
プラグＰは、先端にチップ電極３０と、このチップ電極の後方に音声信号用の第１、第２リング電極３１、３２と、制御信号用の第３リング電極３３とが配列されて、これらの電極がそれぞれ絶縁リング３４で分離されている。また、このプラグＰは、ハンドル部３５のスリーブ３５Ｓの内面に、筒状の制御用第１スリーブ電極３６と、第２スリーブ電極３７とが設けられている。
【０００５】
一方ジャックＪは、絶縁性の樹脂からなるブロック状のボディ３８を有し、このボディ３８内にプラグ挿入孔Ｈが形成されて、この挿入孔Ｈに沿って複数のコンタクトが装着されている。これらの複数のコンタクトは、プラグ先端のチップ電極３０に接触して導通状態になる先端接点ＣＴを有するコンタクトユニットＣＵ及び第１、第２リング電極３１、３２に接触して導通状態になる第１、第２中間接点Ｃ１、Ｃ２で構成されている。このプラグ挿入孔Ｈと連なる筒状部３８Ｃの内面にも第３リング電極３３に接触する内部制御接点が装着されている。また、この筒状部３８Ｃの外面には、第１、第２スリーブ電極３６、３７に接触する第１、第２制御接点Ｄ１、Ｄ２が装着されている。
【０００６】
【特許文献１】特開２００３−３０８９３３号公報（段落〔００１６〕〜〔００１９〕、図９）
【発明の開示】
【発明が解決しようとする課題】
【０００７】
上記特許文献１のプラグとジャックとからなるコネクタによれば、それぞれのプラグ及びジャックに電極を増設することができる。しかしながら、電極を増設するためには、プラグ及びジャックは従来のものと大幅に構造を変更しなければならない構造なっている。すなわち、プラグはハンドル部３５にスリーブ３５Ｓを設け、この内面に増設する電極を、一方、ジャックは外面に設けなければならない構造となっている。このため、プラグの外径サイズが大ききなり、また、ジャックは外面に電極が露出したものとなる。そのため、
構造が複雑になり小型化できないなどの課題が潜在している。
【０００８】
本発明は、このような従来技術の課題を解決するためになされたもので、本発明の目的は、サイズを大きくすることなく電極数を増やすことができる構造が簡単なプラグ及びジャックを提供することにある。
【課題を解決するための手段】
【０００９】
上記目的を達成するために、請求項１に記載のプラグは、先頭に頭部電極及び後方に胴部電極を有する単頭型のプラグにおいて、前記頭部電極は、先端の頂部電極と頭部リング電極とに分割し、前記頂部電極は、先端の頂部接点と、該頂部接点に連結した所定の外径及び長さを有する良導電性の支軸線と、で形成し、前記頭部リング電極は、前方の頭部リング接点と、該頭部リング接点の後方に連結した前記支軸線が挿通される大きさの内径並びに所定の外径及び長さを有する良導電性の中空管からなる頭部中空管と、で形成し、前記頭部中空管には、複数本の前記胴部電極をそれぞれの外径、内径及び長さを変えて装着し、前記頂部接点及び前記頭部リング接点並びに前記複数本の胴部電極に設けた複数の胴部接点は、同一の外径を有し、前記頂部電極の支軸線を前記頭部リング電極の頭部中空管に挿通して、更に前記頭部中空管に前記複数本の胴部電極を装着して、前記頂部接点及び前記頭部リング接点並びに前記支軸線、前記頭部中空管及び前記複数本の胴部電極の間に絶縁部材を介在して固定し、前記支軸線及び前記頭部リング電極並びに前記胴部電極は、前記支軸線の長さを最も長尺にし、前記支軸線に順次装着される前記頭部リング電極及び前記胴部電極は前記頭部電極に向かって前方の電極の長さを後方の電極の長さより長尺にして、前記支軸線に前記頭部リング電極及び前記胴部電極を装着し、該支軸線、前記頭部リング電極及び前記胴部電極の階段状に露出した後方箇所をリード線の接続部としたことを特徴とする。
【００１４】
請求項２に記載のジャックは、上述のプラグが接続されるジャックであって、前記ジャックは、複数本のコンタクト端子と、該複数本のコンタクト端子が装着されるジャックハウジングとを有し、前記ジャックハウジングには、長手方向にプラグ挿通穴を設け、前記プラグ挿通穴の周囲に前記コンタクト端子を装着し、
前記ジャックハウジングは、前記プラグ挿通穴の奥部に前記プラグの頂部電極と接触するコンタクト端子を設けたことを特徴とする。
【発明の効果】
【００１５】
本発明は上記構成を備えることにより、以下に示すような優れた効果を奏する。すなわち、請求項１の発明によれば、先頭の頭部電極が先端の頂部電極と頭部リング電極とに分割されているので、サイズを大きくすることなく電極数を増設することができる。すなわち、従来の単頭型のプラグにおいては、電極を増加させるときにはプラグハウジングなどに電極を設けることで行っていたが、本発明によれば、頭部電極を分割するだけの簡単な構造で、しかもサイズを大きくすることなく電極数を増やすことが可能になる。
【００１６】
また、請求項１の発明によれば、頂部電極に連結された支軸線に、頭部リング電極及び胴部電極をそれぞれの外径、内径及び長さを変えて装着することにより、極数の多いプラグを構成できる。
【００１７】
また、請求項１の発明によれば、頭部中空管に複数本の胴部電極を絶縁材を介して装着することにより、電極数をさらに多くすることができる。
【００１８】
また、請求項１の発明によれば、標準サイズのジャックに適合できるプラグとすることができる。すなわち、外径を例えば２．５ｍｍ、３．５ｍｍにすることにより標準サイズのジャックに適合させることができる。
【００１９】
また、請求項１の発明によれば、支軸線の長さを最も長尺にして、この支軸線に順次装着される頭部リング電極及び胴部電極は前方の電極の長さを後方の電極の長さより長尺にして、支軸線及び各電極を絶縁材料を介して接続し、支軸線及び各電極の露出した後方箇所をリード線の接続部とすることにより、リード線の接続が容易になるとともに電極間の短絡も防止することができる。
【００２０】
請求項２の発明によれば、ハウジングのプラグ挿通穴の奥部にコンタクト端子を設けたことにより、頂部電極を設けたプラグに適合したジャックを簡単に形成できる。
【発明を実施するための最良の形態】
【００２１】
以下、図面を参照して本発明の最良の実施形態を説明する。但し、以下に示す実施形態は、本発明の技術思想を具体化するためのプラグ及びジャックを例示するものであって、本発明をこのプラグ及びジャックに特定することを意図するものではなく、特許請求の範囲に含まれるその他の実施形態のものも等しく適応し得るものである。
【実施例１】
【００２２】
図１は本発明の一実施形態に係るプラグとジャックとを結合した状態の背面図、図２はプラグの斜視図、図３はプラグ本体を示し、図３Ａは斜視図、図３Ｂは側面図、図３Ｃは図３ＢのIIIＣ方向から見た正面図、図３Ｄは図３ＢのIIIＤ方向からみた背面図、図４は図３に示すプラグ本体の分解側面図、図５は図３ＡのＶ−Ｖ線の断面図、図６はジャックの斜視図、図７は図６のジャックを示し、図７Ａは側面図、図７Ｂは背面図、図７Ｃは上面図、図７Ｄは正面図、図７Ｅは後面図、図７Ｆは図７Ｂとは異なる角度からみた背面斜視図、図８は図６のジャックの一部を分離させて示す分解斜視図、図９はジャックの拡大背面斜視図である。
【００２３】
初めに、本発明の一実施形態に係るプラグ１及びジャック１０の概要について簡単に説明する。
先ず、プラグ１は円柱状のプラグ本体２を有しており、このプラグ本体２は、先頭に頭部電極３を有するとともに、この頭部電極３の後方に複数個の胴部電極４を有する単頭型に形成されている。この頭部電極３は先端頂部に位置する頂部電極３Ａとその後方に位置する頭部リング電極３Ｂとに分割されており、これらの電極３Ａ、３Ｂ間に絶縁部材８が介在されて固定された構成を有している（図３Ｂ参照）。
【００２４】
一方、ジャック１０は、プラグ１が挿入されるプラグ挿入穴１３Ａを有し、このプラグ挿入穴１３Ａの奥部にプラグ１の頂部電極３Ａが接触される第１コンタクト端子１４が配設され、プラグ挿入穴１３Ａの周囲に頭部リング電極３Ｂ及び複数個の胴部電極４が接触される複数本のコンタクト端子１５、１６、２０、２１が配設された構成を有している。
【００２５】
そして、プラグ１をジャック１０のプラグ挿入穴１３Ａに挿入すると、プラグ１の頂部電極３Ａが第１コンタクト端子１４に接触し、また、頭部リング電極３Ｂ及び各胴部電極５〜７の胴部リング接点５Ａ〜７Ａはそれぞれ第２〜第５コンタクト端子１５、１６、２０、２１に接触して電気的接続がなされる。以下、これらのプラグ１及びジャック１０の構成について詳しく述べる。
【００２６】
以下、図２〜図５を参照してプラグ１の具体的な構成を説明する。
プラグ１は、図２に示すように、プラグ本体２と、このプラグ本体２の後端部を覆うグリップ部材９と、から構成されている。このうち、プラグ本体２は、図２〜図４に示すように、先頭に良導電性の金属材からなる頭部電極３と、この頭部電極３の後方に設けられた良導電性の金属材からなる複数個の胴部電極４と、を有している。
【００２７】
頂部電極３Ａと頭部リング電極３Ｂとに分割され間に絶縁部材８を介在して固定された頭部電極３のうち、頂部電極３Ａは、先頭端部に形成された長さＬ１１の頂部接点３Ａ１と、この頂部接点３Ａ１に連結された所定の長さＬ１２及び外径ｄ１を有する支軸線３Ａ２とで構成された全長Ｌ１の棒状体から構成されている。なお、このような構成からなる頂部電極３Ａは良導電性の金属材で一体形成されてなる。頂部接点３Ａ１は、先頭端部３Ａ１１が略砲弾状に形成されている。このように砲弾状にすることにより、ジャック１０のプラグ挿通穴１３Ａへの挿入が容易になる。また、この頂部接点３Ａ１の後端には小径の突起部３Ａ１２が形成されており、この突起部３Ａ１２に支軸線３Ａ２が連結されている。
【００２８】
頭部リング電極３Ｂは、先頭端部に形成された長さＬ２１の頭部リング接点３Ｂ１と、この頭部リング接点３Ｂ１に連結し内部に中空穴が設けられた所定の長さＬ２２、外径ｄ２及び内径φ２を有する頭部中空管３Ｂ２と、から構成されている。なお、このような構成からなる頭部リング電極３Ｂは全長Ｌ２の良導電性の金属管で一体形成されている。頭部リング接点３Ｂ１は、その内部に頂部電極３Ａ１の突起部３Ａ１２が挿入される大きさの窪みが設けられた長さＬ２１を有する筒状体で形成されており、この窪みは頭部中空管３Ｂ２の中空穴に連通している。支軸線３Ａ２の外径ｄ１と頭部中空管３Ｂ２の中空穴の内径φ２との関係は、ｄ１<φ２となっている。また、支軸線３Ａ２の長さＬ１２と頭部リング電極３Ｂの長さＬ２との関係は、Ｌ１２>Ｌ２となっている。
【００２９】
複数個の胴部電極４は、頭部電極３の後方に順次タンデムに連結される第１〜第３胴部電極５〜７で構成されている。このうち、第１胴部電極５は、先頭端部に形成された長さＬ３１の第１胴部リング接点５Ａと、この第１胴部リング接点５Ａに連結された所定の長さＬ３２、外径ｄ３及び内径φ３を有する第１胴部中空管５Ｂと、から構成されている。なお、このような構成からなる第１胴部電極５は全長Ｌ３の良導電性の金属管で一体形成されている。
【００３０】
また、第２胴部電極６は、先頭端部に形成された長さＬ４１の第２胴部リング接点６Ａと、この第２胴部リング接点６Ａに連結された所定の長さＬ４２、外径ｄ４及び内径φ４を有する第２胴部中空管６Ｂと、から構成されている。なお、このような構成からなる第２胴部電極６は全長Ｌ４の良導電性の金属管で一体形成されている。
【００３１】
さらに、第３胴部電極７は、先頭端部に形成された長さＬ５１、外径ｄ５の第３胴部リング接点７Ａと、この第３胴部リング接点７Ａに連結したフランジ７Ｂと、このフランジ７Ｂに連結した後端部７Ｃとから構成されている。また、この第３胴部電極７は内部に内径φ５の中空穴が形成された全長Ｌ５の中空管からなり、これらは良導電性の金属材で一体形成されている。フランジ７Ｂはリング状をなし、その外周囲に細溝７１が形成されている。このようにフランジ７Ｂに細溝７１を設けることにより、グリップ部材９をモールド成型するときにモールド材との接触面積が増大して堅固な固定が行えるようになる。
【００３２】
上述の支軸線３Ａ２、頭部中空管３Ｂ２並びに胴部電極４の外径及び内径の関係は、ｄ１＜φ２、ｄ２＜φ３、ｄ３＜φ４、ｄ４＜φ５、Ｌ１２＞Ｌ２＞Ｌ３＞Ｌ４＞Ｌ５に設定されている。また、頂部接点３Ａ１、頭部リング接点３Ｂ１及び第１〜第３胴部リング接点５Ａ〜７Ａの外径は、いずれも同径になっている。
【００３３】
次に、図２〜図５を参照して、プラグ１の製造方法を説明する。
先ず、頭部電極３Ａの支軸線３Ａ２に頭部リング電極３Ｂを装着する。次いで、頭部リング電極３Ｂが装着された頭部電極３Ａに、第１、第２及び第３胴部電極５、６、７をこの順番で装着する。この装着は、頭部電極３の支軸線３Ａ２を頭部リング電極３Ｂの中空穴に挿入し、この頭部リング電極３Ｂの頭部中空管３Ｂ２を第１胴部電極５の中空穴に挿入し、以後同様の方法で小径の中空管を大径の中空穴に順に挿入して装着する。その後、頂部電極３Ａの支軸線３Ａ２に装着した頭部リング電極３Ｂ及び第１〜第３胴部電極５〜７は、頭部リング接点３Ｂ１及び第１〜第３胴部電極５〜７の第１〜第３胴部リング接点５Ａ〜７Ａをそれぞれ所定の隙間ｇ１を空けて配設すると共に、頭部リング電極３Ｂ及び第１〜第３胴部電極５〜７を支軸線３Ａ２を軸芯にして同軸状に配設して、支軸線３Ａ２と頭部リング電極３Ｂの頭部中空管３Ｂ２の間、頭部リング電極３Ｂの頭部中空管３Ｂ２と第１胴部電極５の第１胴部中空管５Ｂの間、第１胴部電極５の第１胴部中空管５Ｂと第２胴部電極６の第２胴部中空管６Ｂの間、及び、第２胴部電極６の第２胴部中空管６Ｂと第３胴部電極７の中空穴との間に隙間ｇ２ができるように配設する。
【００３４】
この状態でこれらの隙間ｇ１、ｇ２に絶縁材料８を注入してこの絶縁材料８を硬化させ、頭部リング電極３Ｂ及び第１〜第３胴部電極５〜７を支軸線３Ａ２を軸芯にして同軸状に固定する。この固定により、支軸線３Ａ２、頭部リング電極３Ｂ及び第１〜第３胴部電極５〜７の長さが、Ｌ１２>Ｌ２>Ｌ３>Ｌ４>Ｌ５となっているので、第３胴部電極７の後方に、支軸線３Ａ２、頭部リング電極３Ｂ及び第１、第２胴部電極５、６のそれぞれの後端部３ａ、３ｂ、５ｂ、６ｂが露出される。そして、これらの露出した後端部及び第３胴部電極７の後端部７Ｃには、リード線（図示省略）が接続される。また、第３胴部電極７の後端部７Ｃには固定部材９Ａを装着する。その後、このプラグ本体２の第３胴部電極７のフランジ７Ｂより後方の部分を金型（図示省略）に挿入して、この金型にモールド材を注入・固定し、グリップ部材９を形成する。
【００３５】
以上の構成を備えるプラグ１によると、頭部電極３は頂部電極３Ａと頭部リング電極３Ｂとに分割されているので、サイズを大きくすることなく電極数を増やすことができる。すなわち、従来技術で電極数を増加させる場合にはプラグハウジングなどに電極を設けていたが、この実施形態のプラグによれば、頭部電極を分割するだけの簡単な構造で、しかもサイズを大きくすることなく電極数を増やすことが可能になる。
【００３６】
次に、図６〜図９を参照して、ジャック１０の構成を説明する。
ジャック１０は、図６及び図７に示すように、細長の直方体からなるジャックハウジング１１と、このジャックハウジング１１の側壁面に装着されるシールドカバー２２と、を有している。
【００３７】
ジャックハウジング１１は、前後壁１１ａ、１１ｂ、左右壁１１ｃ、１１ｄ及び上下壁１１ｅ、１１ｆを有する長方体のブロック状体からなり、電気絶縁性の合成樹脂成型体で形成されている。また、前壁１１ａには、中心部にプラグ１の差込穴が設けられて、その周囲に前面カバー１２が装着される溝が形成されている。前面カバー１２は、その前面に設けられたキャップカバー１２Ａと、このキャップカバー１２Ａの一側端に繋がれた板状の後方カバー１２Ｂ（図９参照）とからなり、電気絶縁性の合成樹脂成型体で形成されている。キャップカバー１２Ａは化粧カバーを形成しており、中心部にプラグ１の差込穴１２１が形成されている。また、後方カバー１２Ｂはジャックハウジング１１の下壁１１ｆの一部を覆うと共に、プラグ１の挿入ガイドの働きをするものである。そして、この前面カバー１２は、キャップカバー１２Ａがジャックハウジング１１の前壁１１ａの装着溝に嵌合結合される。キャップカバー１２Ａの差込穴１２１は、ジャックハウジング１１の前壁１１ａの差込穴を通して後述するジャックハウジング１１内部の空間１３に連通している。
【００３８】
ジャックハウジング１１の下壁１１ｆはその大部分が刳り抜かれており、内部に空間１３が形成されている。この空間１３の略中央部に位置する箇所がプラグ１が挿入される挿入空間１３Ａとなっている。この挿入空間１３Ａは、キャップカバー１２Ａの差込穴１２１に連通したプラグ挿入穴となっている。この空間１３の内周壁面には複数個の取付け溝１１１〜１１６が形成されている。これらの取付け溝１１１〜１１６のうち、１つの取付け溝１１１は、後壁１１ｂに形成された細溝からなる。この取付け溝１１１には、プラグ１の頂部接点３Ａ１と接触される第１コンタクト端子１４が装着される。この第１コンタクト端子１４は、頂部接点３Ａ１と接触する接点１４ａと、外部端子１４ｃと、弾性が付与されているとともに接点１４ａと外部端子１４ｃとの間を繋ぐ連結部１１ｂとからなり、良導電性の金属板片で形成されている。この第１コンタクト端子１４は、連結部１４ｂに取付け片が設けられ、この取付け片が取付け溝１１１に圧入されることで固定される。
【００３９】
他の取付け溝１１２〜１１５は、プラグ挿入穴１３Ａの挿入路に沿って、左右側壁１１ｃ、１１ｄに形成されている。詳しくは、一方の側壁１１ｄには３本の取付け溝１１２、１１３、１１４が所定間隔をおいて形成されている。これらの取付け溝１１２〜１１４は、比較的長い細溝からなり、これらの溝が間に隔壁を挟んで略並行に形成されている。また、これらの取付け溝のうち２本の取付け溝１１２、１１３には、スイッチ端子１７、１８が装着される。各スイッチ端子１７、１８は、弾性片に繋がれた接点１７ａ、１８ａと、外部端子１７ｃ、１８ｃと、これらの間を繋ぐ連結部１７ｂ、１８ｂとからなり、良導電性の金属片で形成されている。そして、これらのスイッチ端子１７、１８の連結部１７ｂ、１８ｂが取付け片となっており、これらの取付け片が各取付け溝１１２、１１３に圧入されて固定される。さらに、スイッチ端子１７、１８の先端部の各接点１７ａ、１８ａは、互いに非接触状態に保持されており、プラグ１が挿入されたときに両接点が接触して、プラグ１がジャック１０に差込まれたことが検知される。
【００４０】
残りの取付け溝１１４にはロックピン部材１９が装着される。このロックピン部材１９は、弾性片に繋がれた接触部１９ａと固定部１９ｂとからなり、金属片で形成されている。このロックピン部材１９は固定部１９ｂが取付け溝１１４に圧入されて固定される。そして、このロックピン部材１９は、プラグ１がジャック１０に完全に差込まれたときに、接触部１９ａが頭部中空管３Ｂ２に接触してプラグ１を保持する働きをする。
【００４１】
他方の側壁１１ｃには、２本の取付け溝１１５、１１６が形成されている。一方の取付け溝１１５には、プラグ１の頭部中空管３Ｂ２と接触される第２コンタクト端子１５が装着される。この第２コンタクト端子１５は、プラグ１の頭部中空管３Ｂ２に接触する接点１５ａと、外部端子１５ｃと、これらの間を繋ぐ連結部１５ｂとからなり、良導電性の金属片で形成されている。この第２コンタクト端子１５は、連結部１５ｂが取付け片を構成しており、この取付け片が取付け溝１１５に圧入されて固定される。他方の取付け溝１１６には、プラグ１の第１胴部リング接点５Ａと接触される第３コンタクト端子１６が装着される。この第３コンタクト端子１６は、第１胴部リング接点５Ａに接触する接点１６ａと、外部端子１６ｃと、これらの間を繋ぐ連結部１６ｂとからなり、良導電性の金属片で形成されている。この第３コンタクト端子１６は、連結部１６ｂが取付け片を構成しており、この取付け片が取付け溝１１６に圧入されて固定される。
【００４２】
上述した複数個の取付け溝１１１〜１１６は、空間１３の内周壁面に形成されているが、左右側壁１１ｃ、１１ｄの前壁１１ａ近傍にも第４、第５コンタクト端子２０、２１の取付け溝１１７、１１８が形成されている（図８参照）。このうち、一方の取付け溝１１７には、プラグ１の第２胴部接点６Ａと接触される第４コンタクト端子２０が装着される。この第４コンタクト端子２０は、プラグ１の第２胴部接点６Ａに接触する接点２０ａと、外部端子２０ｃと、これらの間を繋ぐ連結部２０ｂとからなり、良導電性の金属片で形成されている。この第４コンタクト端子２０は、連結部２０ｂに取付け片が設けられて、この取付け片が取付け溝１１７に圧入されて固定される。他方の取付け溝１１８には、プラグ１の第３胴部接点７Ａと接触される第５コンタクト端子２１が装着される。この第５コンタクト端子２１は、プラグ１の第３胴部接点７Ａに接触する接点２１ａと、外部端子２１ｃと、これらの間を繋ぐ連結部２１ｂとからなり、良導電性の金属片で形成されている。この第５コンタクト端子２１は、連結部２１ｂが取付け片を構成しており、この取付け片が取付け溝１１８に圧入されて固定される。
【００４３】
左右側壁１１ｃ、１１ｄの外壁面には、それぞれ係止突起１１ｃ'、１１ｄ'が形成されている。また、上壁１１ｅの後壁１２ｂ側には、後述するシールドカバー２２が取付けられる凹みが形成されている。シールドカバー２２は、ジャックハウジング１１の上壁１１ｅの一部を覆う大きさの天井板２２ａと、この天井板２２ａの両側端から下方へ垂下してジャックハウジング１１の側壁１１ｂ、１１ｃを覆う側板２２ｂ、２２ｃとからなり、金属板で形成されている。天井板２２ａの後方端には突出片２２ａ'が形成されている。また、両側板２２ｂ、２２ｃには係合穴２２１、２２１が形成されると共に、その端部にはこの両側板２２ｂ、２２ｃに対して垂直な方向へ延在する取付け端部２２ｂ'、２２ｃ'が形成されている。このシールドカバー２２は、ジャックハウジング１１の上壁１１ｅの凹み及び左右側壁１１ｃ、１１ｄを覆い、両側壁１１ｃ、１１ｄの各係合穴２２１、２２１が係止突起１１ｃ'、１１ｄ'に係合されて固定される。
【００４４】
上述の構成を有するプラグ１をジャック１０のプラグ挿入穴１３Ａに挿入すると、プラグ１の頂部電極３Ａが第１コンタクト端子１４に接触し、第１〜第３胴部電極５〜７はそれぞれ第３〜第５コンタクト端子１６、２０、２１に接触して電気的接続がなされる。
【００４５】
この実施形態のジャック１０によると、プラグ挿入穴１３Ａの奥部、すなわち、後壁１１ｂ近傍にプラグ１の頂部電極３Ａと接触される第１コンタクト端子１４を配設したので、プラグ１に適合できるジャック１０を簡単に形成できる。すなわち、後壁１１ｂは、従来技術のジャックのハウジングにもある周知の構造であるので、この後壁を利用して第１コンタクト端子を取付けることができ、ジャックハウジングを特別な形状にすることなく第１コンタクト端子を取付けできる。
【図面の簡単な説明】
【００４６】
【図１】図１は本発明の一実施形態に係るプラグとジャックとを結合した状態の背面図である。
【図２】図２はプラグの斜視図である。
【図３】図３はプラグ本体を示し、図３Ａは斜視図、図３Ｂは側面図、図３Ｃは図３ＢのIIIＣ方向から見た正面図、図３Ｄは図３ＢのIIIＤ方向からみた背面図である。
【図４】図４は図３に示すプラグ本体の分解側面図である。
【図５】図５は図３ＡのＶ−Ｖ線の断面図である。
【図６】図６はジャックの斜視図である。
【図７】図７は図６のジャックを示し、図７Ａは側面図、図７Ｂは背面図、図７Ｃは上面図、図７Ｄは正面図、図７Ｅは後面図、図７Ｆは図７Ｂとは異なる角度からみた背面斜視図である。
【図８】図８は図６のジャックの一部を分離させて示す分解斜視図である。
【図９】図９はジャックの拡大背面斜視図である。
【図１０】図１０は従来技術のプラグ及びジャックの断面図である。
【符号の説明】
【００４７】
１          プラグ
２          プラグ本体
３          頭部電極
３Ａ        頂部電極
３Ａ１      頂部接点
３Ａ２      支軸線
３Ｂ        頭部リング電極
３Ｂ１      頭部リング接点
３Ｂ２      頭部中空管
４          胴部電極
５          第１胴部電極
５Ａ        第１胴部リング接点
５Ｂ        第１胴部中空管
６          第２胴部電極
６Ａ        第２胴部リング接点
６Ｂ        第２胴部中空管
７          第３胴部電極
７Ａ        第３胴部リング接点
１０        ジャック
１１        ジャックハウジング
１２        前面カバー
１３Ａ      プラグ挿入穴（挿入空間）
１４        第１コンタクト端子
１５        第２コンタクト端子
１６        第３コンタクト端子
１７、１８  スイッチ端子
１９        ロックピン部材
２０        第４コンタクト端子
２１        第５コンタクト端子
【図１】
0005059546.tif 000002
【図２】
0005059546.tif 000003
【図３】
0005059546.tif 000004
【図４】
0005059546.tif 000005
【図５】
0005059546.tif 000006
【図６】
0005059546.tif 000007
【図７】
0005059546.tif 000008
【図８】
0005059546.tif 000009
【図９】
0005059546.tif 000010
【図１０】
0005059546.tif 000011